(57)【特許請求の範囲】
【請求項１】
筐体の一面を形成する板状のパネルを含む筐体と、該筐体に収容された電子部品を備えた電子機器であって、
前記パネルが、
前記一面の外面を形成する化粧板と、
前記化粧板の側面に沿って立設し該化粧板を一周に渡って取り巻く立壁を有するとともに、該立壁によって取り囲まれた、該化粧板が嵌入する窪み部を有するパネル本体とを備え、
前記パネル本体は、前記窪み部の、前記立壁に近接した周縁部を除く、該周縁部よりも内側の部分を形成する金属板と、該金属板よりも外側の、該周縁部を含む部分を形成する樹脂枠とからなり、該金属板と該樹脂枠が、前記窪み部の内側に該金属板の表面が露出した状態で一体成形されたものであり、
前記金属板は、一体成型時における前記窪み部の内側に露出した表面に、該窪み部に突出した複数のリブが配列された凹凸構造を有するものであり、
前記化粧板が、前記凹凸構造における前記複数のリブを受容する複数の溝を有するものであることを特徴とする電子機器。
【請求項２】
前記樹脂枠のうちの、少なくとも前記筐体の外面を形成する部分が塗装されていることを特徴とする請求項１記載の電子機器。
【請求項３】
前記化粧板は、前記パネル本体に、両面粘着テープで固定されていることを特徴とする請求項１又は２記載の電子機器。
【請求項４】
表示画面を有する表示板を備え、
前記筐体は、前記表示板を、前記表示画面が外面にあらわれた状態に保持し、前記パネルを、該表示板の背面を覆う面に備えた第１の筐体であることを特徴とする請求項１から３のうちいずれか１項記載の電子機器。
【請求項５】
電子部品を収容し上面にキーボードを備えた第２の筐体を有し、前記第１の筐体は、該第２の筐体に開閉自在に取り付けられていることを特徴とする請求項４記載の電子機器。
【請求項６】
電子部品を収容する筐体の一面を形成する板状のパネルであって、
前記一面の外面を形成する化粧板と、
前記化粧板の側面に沿って立設し該化粧板を一周に渡って取り巻く立壁を有するとともに、該立壁によって取り囲まれた、該化粧板が嵌入する窪み部を有するパネル本体とを備え、
前記パネル本体は、前記窪み部の、前記立壁に近接した周縁部を除く、該周縁部よりも内側の部分を形成する金属板と、該金属板よりも外側の、該周縁部を含む部分を形成する樹脂枠とからなり、該金属板と該樹脂枠が、前記窪み部の内側に該金属板の表面が露出した状態で一体成形されたものであり、
前記金属板は、一体成型時における前記窪み部の内側に露出した表面に、該窪み部に突出した複数のリブが配列された凹凸構造を有するものであり、
前記化粧板が、前記凹凸構造における前記複数のリブを受容する複数の溝を有するものであることを特徴とするパネル。
【請求項７】
前記樹脂枠のうちの、少なくとも前記筐体の外面を形成する部分が塗装されていることを特徴とする請求項６記載のパネル。
【請求項８】
前記化粧板は、前記パネル本体に、両面粘着テープで固定されていることを特徴とする請求項６又は７記載のパネル。
【発明の詳細な説明】
【技術分野】
【０００１】
本件は、筐体の一面を形成する板状のパネルを含む筐体と、その筐体に収容された電子部品とを備えた電子機器、および、電子部品を収容する筐体の一面を形成する板状のパネルに関する。
【背景技術】
【０００２】
電子機器は、通常、箱型の筐体内に、その電子機器に応じた機能を実現するための様々な電子部品が収容されている。そのような電子機器の１つとして表示画面を有する表示板を、その表示画面が外面にあらわれた状態に筐体に保持させた電子機器が存在する。このような電子機器としては、例えば、ノート型パーソナルコンピュータ（以下、「ノートＰＣ」と称する）や携帯電話機、ゲーム機など様々なものが存在する。以下ではノートＰＣを例に挙げて説明する。
【０００３】
ノートＰＣは、基本的には、ＣＰＵ等からなる演算回路やハードディスク装置等の記憶装置や、その他多数の電子部品が内蔵され、上面にキーボードを備えた本体ユニットと、表示画面を有する表示板や無線通信用のアンテナ等の電子部品を備え、表示板を、その表示画面が外面にあらわれた状態に保持する表示ユニットとを有し、表示ユニットが本体ユニットに開閉自在にヒンジ接続された構造を有するパーソナルコンピュータである。
【０００４】
このノートＰＣにおいても、他の携帯型電子機器と同様、大サイズの画面を確保しつつ、軽量化、薄型化を図ることが求められている。この軽量化、薄型化を図るための工夫の１つとして、表示ユニット用筐体の、表示板背面を覆う面に、例えばマグネシウム板等の金属板を用い、その金属板と、その金属板の周縁を取り巻く樹脂製の枠とを一体成形することが行なわれている。表示ユニット用筐体の、表示板背面を覆う面に金属板を用いる理由の１つは、その金属板に電気的なシールドの効果をもたせ、表示画面上にノイズのないきれいな画面を表示させるためである。特許文献１には、表示板の背面にシールドケースを備えた例が示されており、特許文献２には、表示板背面を覆う金属製のリアカバーとその周囲の樹脂製の接合部とが一体成形されている例が示されている。
【０００５】
また、表示ユニット用筐体の、表示板背面を覆う面に金属板を用いることのもう１つの理由は、軽量化、薄型化のためである。シールド性の確保のみであれば、金属板を採用する代わりに樹脂製とし、金属メッキを施すことでシールド性を確保することも考えられるが、樹脂製で所定の強度を確保するには、かなりの厚みが必要となり、軽量化、薄型化の要請に反する結果となる。金属板を用いるとかなり薄い金属板であっても所定の強度を確保でき、かつ軽量化にも寄与する。ただし金属板のみで覆ってしまうと、今度はそのシールド性が邪魔となって筐体内にアンテナを内蔵させることができなくなってしまう。このことから、表示板の背面の部分を金属板で覆うとともに、その金属板の周囲に樹脂枠を一体成形して、その樹脂枠の部分にアンテナが内蔵される。
【特許文献１】特開２０００−１４８０２８号公報
【特許文献２】特開２００６−３３０１２７号公報
【発明の開示】
【発明が解決しようとする課題】
【０００６】
表示ユニット用筐体の背面側を構成するパネルを、上記のように金属板と樹脂枠との一体成形により形成すると、表示板背面のシールド性の確保、アンテナの良好な性能の確保、さらに軽量化、薄型化の観点から好ましいが、樹脂や金属板が剥き出しのままでは意匠性に劣るため表面に塗装が施される。ところが、表面には樹脂と金属という異質のものが存在するため、その表面に塗装を施した場合、樹脂と金属との双方に対し綺麗に塗装することができ、かつその表面状態を長期間綺麗に保つことが困難である。
【０００７】
高価な塗料を採用し、かつ下塗りと上塗りとの二度塗りを行なうことなどによって綺麗な状態をある程度の長期間保つことができるが、例えば汗で濡れた手で触ることが繰り返されると塗料が剥がれてしまうなど、必ずしも十分とは言えない。
【０００８】
引用文献１、２では、表示板の背面にシールド板を備えたり一体成形を行なうことが開示されているが、上記の課題に対する工夫を開示したものではない。
【０００９】
本件開示の電子機器およびパネルの課題は、金属板と樹脂枠とを一体成形するとともに表面を長期間に渡り良好な状態に保つことにある。
【課題を解決するための手段】
【００１０】
本件開示の電子機器は、筐体の一面を形成する板状のパネルを含む筐体と、その筐体に収容された電子部品を備えた電子機器であって、
上記パネルが、
上記一面の外面を形成する化粧板と、
その化粧板の側面に沿って立設しその化粧板を一周に渡って取り巻く立壁を有するとともに、その立壁によって取り囲まれた、上記化粧板が嵌入する窪み部を有するパネル本体とを備え、
上記パネル本体は、上記窪み部の、立壁に近接した周縁部を除く、その周縁部よりも内側の部分を形成する金属板と、その金属板よりも外側の、上記周縁部を含む部分を形成する樹脂枠とからなり、金属板と樹脂枠が一体成形されたものである。
【００１１】
また、本件開示のパネルは、電子部品を収容する筐体の一面を形成する板状のパネルであって、
上記一面の外面を形成する化粧板と、
その化粧板の側面に沿って立設しその化粧板を一周に渡って取り巻く立壁を有するとともに、その立壁によって取り囲まれた、上記化粧板が嵌入する窪み部を有するパネル本体とを備え、
上記パネル本体は、上記窪み部の、立壁に近接した周縁部を除く、その周縁部よりも内側の部分を形成する金属板と、その金属板よりも外側の、上記周縁部を含む部分を形成する樹脂枠とからなり、金属板と樹脂枠が一体成形されたものである。
【発明の効果】
【００１２】
本件開示の電子機器およびパネルによれば、樹脂だけ塗装してその後に化粧板を嵌め込めばよく、塗料は樹脂にのみ適したものであればよく、安価な耐久性のある塗料を使用することができる。
【発明を実施するための最良の形態】
【００１３】
以下、本件開示の電子機器およびパネルの実施形態について説明する。
【００１４】
図１は、閉状態のノートＰＣの斜視図、図２は、図１と同じノートＰＣの、開状態を示す斜視図である。
【００１５】
このノートＰＣ１００は、本体ユニット２００と表示ユニット３００を有し、表示ユニット３００は本体ユニット２００に対し、図１に示す閉状態と図２に示す開状態との間で開閉するように、本体ユニット２００に連結されている。
【００１６】
本体ユニット２００の筐体２０１の上面には、キーボード２０２や、ポインティングデバイスの一種であるトラックパッド２０３などが配備されている。
【００１７】
また、表示ユニット３００の筐体３０１は、その表示ユニット３００の前面に、表示画面３０２（図８参照）の大サイズの表示画面３０２ａが外面にあらわれるように、表示板３０２を保持している。その表示ユニット筐体３０１の背面には、図１に示すように、アクリル板等からなる化粧板３２０と、その化粧板３２０を囲う樹脂枠３１２があらわれている。
【００１８】
図３は、従来のノートＰＣの表示ユニット筐体の背面パネルを示した図、図４は、従来の表示ユニットの一部断面図である。
【００１９】
ここでは、これらの図３、図４を参照しながら、本件実施形態と比較すべき従来例について説明する。
【００２０】
図３（Ａ）は、表示ユニット背面パネルの外面を示した図、図３（Ｂ）はその一部の拡大斜視図である。
【００２１】
この背面パネル４１０は、マグネシウムからなる金属板４１１と、その金属板４１１を囲う樹脂枠４１２とが一体成形されたものであり、それらの金属板４１１と樹脂枠４１２の表面の高さは同一に連続しており、それらの上に塗料による塗装が施されている。
【００２２】
図４には、表示ユニット筐体の構造がより分かり易く示されており、この表示ユニット筐体４００は、背面パネル４１０と前枠４２０とからなり、その内部には前面に表示画面３０２ａを有する表示板３０２が、表示画面３０２ａが外面にあらわれた状態に保持されている。背面パネル４１０は、上述したように、金属板４１１と樹脂枠４１２とが一体成形されたものであり、それらの表面は連続した同一高さの面を成し、その上に塗装が施されている。また、前枠４２０は、背面パネル４１０の樹脂枠４１２と同じ材質の樹脂製のものであり、この前枠４２０にも、背面パネル４１０と同じ塗料による塗装が施されている。
【００２３】
ここで使われている塗料は、背面パネル４１０を構成する金属板４１１に密着して長期間その外観を良好に保つとともに、背面パネル４１０を構成する樹脂枠４１２や前枠４２０にも密着して長期間その外観を良好に保つ必要がある。
【００２４】
ところが、金属と樹脂という異質のもの両者の表面に密着する塗料は高価であり、また、下塗りと上塗りとの二度塗りを行なってもなお、特に金属表面との密着性が必ずしも十分とは言えず、長期間使用している間に塗料が剥がれるおそれがある。
【００２５】
次に、本実施形態の背面パネルについて説明する。
【００２６】
図５は、表示ユニット３００の筐体３０１を構成する背面パネルのうちの化粧板を取り除いたパネル本体を示した図、図６、図７は、パネル本体の各一部を示す図である。
【００２７】
このパネル本体３１０は、マグネシウムからなる金属板３１１と樹脂枠３１２とを有し、金属板３１１および樹脂枠３１２のうちの金属板３１１に隣接したその金属板の周縁を取り囲む周縁部３１２ａは、樹脂枠３１２のうちの外側の枠部３１２ｂよりも立壁３１２ｃにより一段低く形成されて、金属板３１１とともに窪み部３１５を形成しており、この窪み部３１５に化粧板３２０（図１参照）が嵌め込まれる構造となっている。
【００２８】
図８は、表示ユニット３００の一部の断面図である。
【００２９】
表示パネル筐体３０１は、背面パネル３３０と前枠３４０から構成されており、その内部空間には、表面に表示画面３０２ａを有する表示板３０２が、表示画面３０２ａ外面にあらわれた状態に保持されている。
【００３０】
背面パネル３３０は、マグネシウムからなる金属板３１１と、その金属板３１１を取り囲む樹脂枠３１２とが一体成形されたパネル本体３１０と、アクリル製の化粧板３２０とから構成されている。また、前枠３４０は背面パネル３３０の樹脂枠３１２と同じ材質の樹脂製である。
【００３１】
ここで、パネル本体３１０は、化粧板３２０の側面に沿って立設し、その化粧板３２０を一周に渡って取り巻く立壁３１２ｃ、およびその立壁３１２ｃによって取り囲まれた、化粧板３２０が嵌入する窪み部３１５を有する。この窪み部３１５は、上述したように、マグネシウムからなる金属板３１１と、樹脂枠３１２の一部からなる、その金属板３１１よりも外側の、金属板３１１に隣接し、かつ立壁３１２に近接した周縁部３１２ａとからなる。
【００３２】
この樹脂枠３１２の、立壁３１２ｃよりも外側の枠部３１２ｂには塗装が施されている。この場合、この塗装に用いられている塗料は、樹脂枠３１２への密着性のみが考慮されていればよく、比較的安価であり、一度塗りで済み、化粧板３２０を備えることによるコストアップを考慮してもコストダウンが実現する。また、色や模様の異なる化粧板を採用しカラーバリエーションを増やすことも可能である。
【００３３】
ここで、化粧板３２０は、両面粘着テープ（図示せず）で、パネル本体３１０に貼着されている。この両面粘着テープは、窪み部３１５の全面に貼着されていてもよいが、立壁３１２ｃに沿った周囲のみであってもよい。
【００３４】
また、前枠３４０は、背面パネル３３０の樹脂枠３１２と同じ材質の樹脂製であり、樹脂枠３１２と同じ塗料により塗装されている。
【００３５】
図９は、本実施形態の変形例を示す断面図である。
【００３６】
図８に示す断面と共通の要素には、共通の符号を付して示し、相違点について説明する。
【００３７】
この図９に示す変形例では、背面パネル３３０を構成する金属板３１１が、窪み部３１５に突出したリブ３１１ａを有し、化粧板３２０には、そのリブ３１１ａを収容する溝３２０ａが形成されている。
【００３８】
金属板３１１は、リブ３１１ａを有することにより、さらに強度を増し、同一の強度であればさらに薄い金属板を使用し、さらなる薄型化を実現することができる。またこのリブ３１１ａは、化粧板３２０の溝３２０ａに入り込み、外観にはあらわれず、良好な外観を保つことができる。
【００３９】
尚、ここでは、ノートＰＣについて説明したが、本件の技術思想はノートＰＣに限られるものではなく、表示板を備えた電子機器に広く適用することができる。
【００４０】
以下、本件の各種形態を付記する。
【００４１】
（付記１）
筐体の一面を形成する板状のパネルを含む筐体と、該筐体に収容された電子部品を備えた電子機器であって、
前記パネルが、
前記一面の外面を形成する化粧板と、
前記化粧板の側面に沿って立設し該化粧板を一周に渡って取り巻く立壁を有するとともに、該立壁によって取り囲まれた、該化粧板が嵌入する窪み部を有するパネル本体とを備え、
前記パネル本体は、前記窪み部の、前記立壁に近接した周縁部を除く、該周縁部よりも内側の部分を形成する金属板と、該金属板よりも外側の、該周縁部を含む部分を形成する樹脂枠とからなり、該金属板と該樹脂枠が一体成形されたものであることを特徴とする電子機器。
【００４２】
（付記２）
前記樹脂枠のうちの、少なくとも前記筐体の外面を形成する部分が塗装されていることを特徴とする付記１記載の電子機器。
【００４３】
（付記３）
前記化粧板は、前記パネル本体に、両面粘着テープで固定されていることを特徴とする付記１又は２記載の電子機器。
【００４４】
（付記４）
前記パネル本体は、前記窪み部に突出したリブを有し、前記化粧板が前記リブを受容する溝を有することを特徴とする付記１から３のうちいずれか１項記載の電子機器。
【００４５】
（付記５）
表示画面を有する表示板を備え、
前記筐体は、前記表示板を、前記表示画面が外面にあらわれたた状態に保持し、前記パネルを、該表示板の背面を覆う面に備えた第１の筐体であることを特徴とする付記１から４のうちいずれか１項記載の電子機器。
【００４６】
（付記６）
電子部品を収容し上面にキーボードを備えた第２の筐体を有し、前記第１の筐体は、前記第１の筐体に開閉自在に取り付けられていることを特徴とする付記５記載の電子機器。
【００４７】
（付記７）
電子部品を収容する筐体の一面を形成する板状のパネルであって、
前記一面の外面を形成する化粧板と、
前記化粧板の側面に沿って立設し該化粧板を一周に渡って取り巻く立壁を有するとともに、該立壁によって取り囲まれた、該化粧板が嵌入する窪み部を有するパネル本体とを備え、
前記パネル本体は、前記窪み部の、前記立壁に近接した周縁部を除く、該周縁部よりも内側の部分を形成する金属板と、該金属板よりも外側の、該周縁部を含む部分を形成する樹脂枠とからなり、該金属板と該樹脂枠が一体成形されたものであることを特徴とするパネル。
【００４８】
（付記８）
前記樹脂枠のうちの、少なくとも前記筐体の外面を形成する部分が塗装されていることを特徴とする付記７記載のパネル。
【００４９】
（付記９）
前記化粧板は、前記パネル本体に、両面粘着テープで固定されていることを特徴とする付記７又は８記載のパネル。
【００５０】
（付記１０）
前記パネル本体は、前記窪み部に突出したリブを有し、前記化粧板が前記リブを受容する溝を有することを特徴とする付記７から９のうちいずれか１項記載のパネル。
【００５１】
（付記１１）
当該パネルは、表示画面を有する表示板を該表示画面が外面にあらわれた状態に保持する筐体の、該表示板の背面を覆う面を形成するパネルであることを特徴とする付記７から１０のうちいずれか１項記載のパネル。
【図面の簡単な説明】
【００５２】
【図１】閉状態のノートＰＣの斜視図である。
【図２】ノートＰＣの、開状態を示す斜視図である。
【図３】従来のノートＰＣの表示ユニット筐体の背面パネルを示した図である。
【図４】従来の表示ユニットの一部断面図である。
【図５】表示ユニットの全体を構成する背面パネルのうちの化粧板を取り除いたパネル本体を示した図である。
【図６】パネル本体の一部を示す図である。
【図７】パネル本体の一部を示す図である。
【図８】表示ユニットの一部の断面図である。
【図９】変形例を示す断面図である。
【符号の説明】
【００５３】
１００    ノートＰＣ
２００    本体ユニット
２０１    筐体
２０２    キーボード
２０３    トラックパッド
３００    表示ユニット
３０１    筐体
３０２    表示板
３０２ａ    表示画面
３１０    パネル本体
３１１    金属板
３１１ａ    リブ
３１２    樹脂枠
３１２ａ    周縁部
３１２ｂ    枠部
３１２ｃ    立壁
３１５    窪み部
３２０    化粧板
３２０ａ    溝
３３０    背面パネル
３４０    前枠
４００    筐体
４１０    背面パネル
４１１    金属板
４１２    樹脂枠
４２０    前枠
【図１】
0004935738.tif 000002
【図２】
0004935738.tif 000003
【図３】
0004935738.tif 000004
【図４】
0004935738.tif 000005
【図５】
0004935738.tif 000006
【図６】
0004935738.tif 000007
【図７】
0004935738.tif 000008
【図８】
0004935738.tif 000009
【図９】
0004935738.tif 000010